(57)【要約】【課題】１ライン毎の光量変動をなくし、各ライン毎の積算光量に差が発生して読取画像の白横縞となる不具合を解決することができる画像読取装置を提供する。【解決手段】原稿をランプで照射してその反射光を光電変換素子で受光することで原稿画像に対する電気信号をライン単位で読み取ると共に、異なる２つ以上のライン周期を有する画像読取装置であって、各ラインの読取開始タイミングを規定するライン同期信号に同期させて前記ランプを点灯させるインバータの発振回路を制御する構成となっている。【選択図】      図４
2004236022.tif 000002
【特許請求の範囲】
【請求項１】
原稿をランプで照射してその反射光を光電変換素子で受光することで原稿画像に対する電気信号をライン単位で読み取ると共に、異なる２つ以上のライン周期を有する画像読取装置であって、
各ラインの読取開始タイミングを規定するライン同期信号に同期させて前記ランプを点灯させるインバータの発振回路を制御することを特徴とする画像読取装置。
【請求項２】
請求項１の画像読取装置において、異なる２つ以上の１ライン周期に対する点灯パルス数が一定になるように前記インバータの発振周波数を設定することを特徴とする画像読取装置。
【請求項３】
請求項２の画像読取装置において、周囲温度変化を織り込んで異なる２つ以上の１ライン周期に対する点灯パルス数が一定になるように前記インバータの発振周波数を設定することを特徴とする画像読取装置。
【請求項４】
請求項１の画像読取装置において、読み取り条件に応じて前記ランプの同期点灯と非同期点灯とを切り替えることを特徴とする画像読取装置。
【発明の詳細な説明】
【０００１】
【発明の属する技術分野】
この発明は、原稿を露光ランプで照射してその反射光を光電変換素子で受光することで原稿画像に対する電気信号をライン単位で読み取ると共に、異なる２つ以上のライン周期を有する画像読取装置に関し、特に、１ライン毎の光量変動をなくし、各ライン毎の積算光量に差が発生して読取画像の白横縞となる不具合を解決することができる画像読取装置に関するものである。
【０００２】
【従来の技術】
一般に、原稿を露光ランプで照射してその反射光を光電変換素子で受光することで原稿画像に対する電気信号をライン単位で読み取ると共に、異なる２つ以上のライン周期を有する画像読取装置が知られている。
なお、先行技術としては、特開２０００−３２３２９２公報（位相比較器１３は、外部同期信号Ｓｙｎｃと、分周器１２により分周された周波数可変発振器１１の発振信号の位相とを比較しその位相差に応じて、周波数可変発振器１１の発振周波数を制御し、これにより周波数可変発振器１１の発振位相は外部同期信号Ｓｙｎｃにより位相ロックされ、周波数可変発振器１１の発振信号は、ゲート信号生成回路５に入力され、ゲート信号生成回路５の出力によりインバータ回路３のスイッチ素子が開閉し、ＤＣ電源５が出力する直流電圧を交流電圧に変換し、インバータ回路３が出力する交流電圧は昇圧トランス２を介してランプ１に印加されランプ１が点灯する）等が挙げられる。
【特許文献１】特開２０００−３２３２９２公報
【０００３】
【発明が解決しようとする課題】
しかしながら、前記一般の画像読取装置においては、各ラインの読取周期と光量制御周期（ランプ点灯周期）が非同期であるために、１ライン周期に対してランプ点灯周期が十分に小さくない場合には、１ライン周期の中に入るランプ点灯パルス数が各ライン毎にバラツキ、そのバラツキにより各ライン毎の積算光量に差が発生し読取画像の白横縞となる不具合が発生していた。
そこで、前記特許文献１においては、ランプに給電する給電装置のインバータの発振器を周波数可発振器とし、該周波数可変発振器からの発振信号を外部同期信号に位相ロックするように周波数可変発振器を制御することにより、光量変動を伴うことなく誘電体バリア放電蛍光ランプを外部同期信号に同期させて発光させている。
しかしながら、前記のような周波数を可変させ同期させて発光させる方法は、ランプ点灯周波数が可変するのでランプの最適な点灯条件（点灯周波数）から外れる可能があり回路構成も複雑になるという欠点があった。
そこで本発明は、以上の不具合を解決するためになされたものであり、その目的は、異なる２つ以上の１ライン周期を有する画像読取装置において各ラインの読取開始タイミングを規定するライン同期信号に同期させてランプを点灯させるインバータの発振回路を制御することにより、１ライン毎の光量変動をなくし各ライン毎の積算光量に差が発生し読取画像の白横縞となる不具合を解決することができる画像読取装置を提供することである。
【０００４】
【課題を解決するための手段】
上述の目的を達成するために、請求項１記載の発明は、原稿をランプで照射してその反射光を光電変換素子で受光することで原稿画像に対する電気信号をライン単位で読み取ると共に、異なる２つ以上のライン周期を有する画像読取装置において、各ラインの読取開始タイミングを規定するライン同期信号に同期させて前記ランプを点灯させるインバータの発振回路を制御することを特徴とする。
したがって、異なる２つ以上の１ライン周期を有する画像読取装置において各ラインの読取開始タイミングを規定するライン同期信号に同期させてランプを点灯させるインバータの発振回路を制御しているので、１ライン毎の光量変動をなくし、各ライン毎の積算光量に差が発生し読取画像の白横縞となる不具合を解決することができる。
また、請求項２記載の発明は、請求項１の画像読取装置において、異なる２つ以上の１ライン周期に対する点灯パルス数が一定になるようにインバータの発振周波数を設定することを特徴とする。
したがって、異なる２つ以上の１ライン周期を有する画像読取装置において１ライン周期に対する点灯パルス数が一定になるようにインバータの発振周波数を設定しているので１ライン毎の光量変動をなくし各ライン毎の積算光量に差が発生し読取画像の白横縞となる不具合を解決することができる。
また、請求項３記載の発明は、請求項２の画像読取装置において、周囲温度変化を織り込んで異なる２つ以上の１ライン周期に対する点灯パルス数が一定になるようにインバータの発振周波数を設定することを特徴とする。
したがって、インバータ各部品の温度係数に影響されず異なる２つ以上の１ライン周期に対する点灯パルス数が一定になるようにインバータの発振周波数を設定しているので、１ライン毎の光量変動をなくし各ライン毎の積算光量に差が発生し読取画像の白横縞となる不具合を解決することができる。
また、請求項４記載の発明は、請求項１の画像読取装置において、読み取り条件に応じてランプの同期点灯と非同期点灯とを切り替えることを特徴とする。
したがって、読み取り条件（白黒／カラー／単色／２色、連続／間欠等）に応じて同期点灯／非同期点灯を切り替えているので、インバータ各部品の温度係数の影響による発振周波数の変動により１ライン毎の光量変動をなくし、各ライン毎の積算光量に差が発生して読取画像の白横縞となる不具合を解決することができる。
【０００５】
【発明の実施の形態】
以下に添付の図を参照してこの発明の実施形態を詳細に説明する。
図１は、本発明によるカラー画像読取装置の一実施形態の全体構成図である。
図１に基づいて各部の機能について説明する。
まず、スキャナ本体に関して説明すると、原稿台ガラス８上に置かれた原稿は、第１ミラー３とランプ２により照射される。ここで、第１ミラー３とランプ２は第１キャリッジ３１に搭載されており、原稿台下部を移動しながら走査を行う。そして、原稿からの反射光は、第１ミラー３及び第２キャリッジ３２上の第２ミラー５、第３ミラー４で走査され、レンズ１により集束され、ＣＣＤが搭載されたＳＢＵ１０に照射されることにより電気信号に光電変換される。
また、前記第１ミラー３、ランプ２及び第２ミラー５、第３ミラー４をそれぞれ搭載する第１および２キャリッジ３１、３２は、走行体モータ９を駆動源として、キャリッジホーム位置から最大走査領域方向（図左右方向）に移動可能となっている。
次に、ＡＲＤＦ（自動両面原稿搬送装置）部に関して説明すると、原稿台１１の原稿ガイド１２に沿って積載された原稿は、片面原稿読み取りを選択した場合には呼び出しコロ１４、給紙ベルト１６により搬送コロ１５、分離コロ１７、第１搬送ローラ１８によりＤＦ用原稿ガラス６と反射ガイド板２０との間の読取位置を経て、第２搬送ローラ２１及び排紙ローラ２３へ送り込まれ、原稿が排出される。ＤＦ用原稿ガラス前にはレジストセンサー１９が配置されており、読取部への紙の進入（先端）や後端部のタイミングを検知できる。
一方、両面原稿読み取りを選択した場合には、まず原稿の表面の読み取りを前記片面原稿読み取りを選択した場合と同様に実施する。
原稿の表面の読み取りに関して説明を行う。呼び出しコロ１４、給紙ベルト１６により搬送コロ１５、分離コロ１７、第１搬送ローラ１８によりＤＦ用原稿ガラス６と反射ガイド板２０との間の読取位置を経て、第２搬送ローラ２１及び排紙ローラ２３へ送り込まれ、原稿を排出せずに、分岐爪２４が下方へ切り換えられて反転ローラ２５により反転テーブル２６上へ移送される。原稿の後端が排紙ローラ２３を抜けた後に分岐爪２４が上方へ切り換えられて一旦、反転ローラが停止する。
【０００６】
次に、原稿の裏面の読み取り関して説明すると、原稿の裏面の読み取りを実施するためには、一旦、停止していた反転ローラ２５を前記とは逆方向へ回転させることにより原稿が反転テーブル２６から第１搬送ローラ１８の方向へ搬送され、更に第１搬送ローラ１８を経て表面と同様にＤＦ用原稿ガラス６と反射ガイド板２０との間の読取位置を経て、第２搬送ローラ２１及び排紙ローラ２３へ送り込まれ、その後、原稿が排出される。原稿は、表面、裏面の読み取りと共にＤＦ用原稿ガラス６と反射ガイド板２０との間の読取位置を通過する際に、読取位置の近傍に停止されているランプ２により照射され、その反射光は、第１ミラー３及び一体に構成された第２ミラー５、第３ミラー４で走査される。以下原稿台の場合と同様に光電変換される。
なお、ＡＲＤＦの呼び出しコロ１４、給紙ベルト１６、搬送コロ１５、分離コロ１７の給紙機構は給紙モータ（図示せず）により駆動されている。また、第１搬送ローラ１８、第２搬送ローラ２１、排紙ローラ２３、反転ローラ２５の搬送機構は搬送モータ（図示せず）により駆動されている。
さらに、ＡＲＤＦには原稿を検知するために原稿台１１へ原稿がセットされているか否かを検知するセットセンサ１３、原稿サイズを検知するための幅サイズ検知センサ２８、第１の原稿長さセンサ２９と第２の原稿長さセンサ３０、原稿の後端を検知するための原稿後端センサ２７が搭載されている。スキャナ本体にはスキャナ本体及びＡＲＤＦを含めたカラー画像読取装置の動作制御をおこなうＳＣＵ７が搭載されている。
【０００７】
図２および図３は、図１に示した画像読取装置の制御ブロック構成図である。
図２および図３において、ＳＢＵ１０上のＣＣＤ１００に入光した原稿の反射光は、ＣＣＤ１００内で光の強度に応じた電圧値を持つアナログ信号に変換され、奇数ビットと偶数ビットに分かれて出力される。前記ＳＢＵ１０のアナログ画像信号は、ＶＩＯＢ３３上でアナログ処理回路１０１で暗電位部分が取り除かれ、奇数ビットと偶数ビットが合成され、所定の振幅にゲイン調整された後にＡ／Ｄコンバータ１０２に入力されデジタル信号化される。デジタル化された画像信号は、シェーディング部１０３によりシェーディング補正されＶＩＯＢ３３からＳＣＵ７上のＩＰＵ１０４で、ガンマ補正、ＭＴＦ補正等の画像処理が行なわれた後、同期信号画像クロックとともにビデオ信号として、画像データ記憶手段（ＳＤＲＡＭ１０６）を管理するメモリ−コントローラ１０５に入力され、ＳＤＲＡＭで構成される画像メモリ１０６に蓄えられる。
画像メモリ１０６に蓄えられた画像データは、外部Ｉ／Ｆドライバ１０７に送られ、パソコンやプリンタ等の出力装置１２０へ転送される。この外部Ｉ／ＦドライバーはＳＣＳＩ、ＩＥＥＥ１３９４、ＬＡＮなどドライバーやローカルＶｉｄｅｏ信号などを総称して記載している。
ＳＣＵ７上には、ＣＰＵ１０８、ＲＯＭ１０９、ＲＡＭ１１０、モータコントローラ１１２が実装されており、ＣＰＵ１０８は、スキャナ本体のステッピングモータである走行体モータ９、ＡＲＤＦの給紙モータ（図示せず）、搬送モータ（図示せず）のタイミング制御も行なっている。なお、ＡＤＵ４２は、ＡＲＤＦ部に用いる電装部品の電力供給を中継する機能を有している。
また、前記ＣＰＵ１０８にはランプ安定器１１４を介してランプ２が接続されている。
ＳＣＵ７上のＣＰＵ１０８に接続されている入力ポートは、ＶＩＯＢ３３を介して本体操作パネルＳＯＰ４３に接続されている。本体操作パネルＳＯＰ４３上にはスタートスイッチ（図示せず）と停止スイッチ（図示せず）が実装されている。それぞれのスイッチが押下されると入力ポートを介してＣＰＵはスイッチがＯＮされたことを検出する。
【０００８】
次に、図４および図５を参照して請求項１に対応する実施形態について説明する。まず、図４を参照して前記ランプ安定器１１４およびランプ２の制御について説明する。
図４は、前記ランプ安定器１１４およびランプ２の構成図である。
まず、同期点灯の場合には、第４図に示すように各ラインの読取開始タイミングを規定するライン同期信号（ＴＧ−ＩＮＶ）を入力するとライン同期信号に同期してランプ２を点灯させるインバータ１３１に接続された発振回路１３４が発振動作する。この発振回路１３４から出力されるクロック信号に応じて点灯制御部１３５が動作し、インバータ回路１３１を制御する。
インバータ回路１３１からの出力は、昇圧トランス１３２を経由してランプ２に印加される。なお、点灯制御部１３５へ入力されるＣＮＴはランプ２のＯＮ／ＯＦＦ制御信号である。すなわち、非同期点灯の場合には、ライン同期信号（ＴＧ−ＩＮＶ）をＬｏｗレベルに固定し、ＣＮＴにランプＯＮ／ＯＦＦ制御信号を入力する。
次に、図５に、前記インバータ１３１の構成の一例を示す。
図５に示すように、ランプＯＮ／ＯＦＦ制御信号（ＣＮＴ）がＨｉｇｈレベルの時、トランジスタＴＲ１がオンし、インバータ制御用ＩＣであるＩＣ１に電力が供給される。インバータ制御用ＩＣであるＩＣ１はスイッチング素子ＦＥＴ１を駆動するためのドライバ及び発振器を内蔵しておりＣｔ及びＲｔ端子に接続されたコンデンサＣ１及び抵抗Ｒ３の定数に応じて発振器が所定の周期で発振し、発振パルスによりドライバ（ダイオードＤ１および抵抗Ｒ４）を駆動し、ドライバの出力によりスイッチング素子ＦＥＴ１が駆動される。
そのように駆動信号によりスイッチング素子ＦＥＴ１がＯＮになると、定電圧電源１３０→昇圧トランス１３２の一次側巻線→スイッチング素子ＦＥＴ１の経路で電流が流れ、昇圧トランス１３２にエネルギーが蓄えられる。
次にスイッチング素子ＦＥＴ１がＯＦＦになると昇圧トランス１３２に流れていた電流が遮断され、蓄えられていたエネルギーが放出され、昇圧トランス１３２の一次側、二次側に急峻な立ち上がりを持つ電圧波形が波形が発生する。
この電圧波形は時間とともに減衰し、次にスイッチング素子ＦＥＴ１がオンになった後オフになると前記と同様に再び急峻な立ち上がりを持つ電圧波形が発生する。すなわち、スイッチング素子ＦＥＴ１をオン／オフする毎に再び急峻な立ち上がりを持つ電圧波形が発生し、ランプ２に繰り返し電流が流れ、ランプ２が点灯し光が放出される。
またインバータ制御ＩＣであるＩＣ１は、Ｃ１、Ｒ３、ＶＲ１より構成されるＣＲ発振回路により発振するが、ＴＧ−ＩＮＶ信号のＨｉｇｈ期間にコンデンサＣ１を放電させることにより発振を停止させ、Ｌｏｗ期間に発振を開始させ同期点灯することができる。
【０００９】
次に、図６、図７および図８を参照して請求項２に対応する実施形態について説明する。
図６は、ランプＯＮ／ＯＦＦ制御信号（ＣＮＴ）およびライン同期信号（ＴＧ−ＩＮＶ）との関係を示すタイミングチャートであり、図７は、ライン同期信号（ＴＧ−ＩＮＶ）とランプ２の光波形の関係を示すタイミングチャートであり、図８は、ライン同期信号（ＴＧ−ＩＮＶ）とランプ２の光波形の関係を示すタイミングチャートである。
すなわち、図６は、ランプＯＮ／ＯＦＦ信号（ＣＮＴ）とライン同期信号（ＴＧ−ＩＮＶ）のタイミングを示したもので、ＣＮＴとは別に点灯周波数の位相同期をとる目的でＴＧ−ＩＮＶを供給する。なお、ＣＮＴ信号とＴＧ−ＩＮＶ信号は非同期で供給し、ＣＮＴ信号のＯＮ、ＯＦＦは任意の時間とする。
図７、図８は、ＴＧ−ＩＮＶとインバータ出力（光波形）のタイミングを示したもので、条件としてＴＧ−ＩＮＶ周期Ｈｉｇｈ期間に対するオーバーラップはＦＥＴがＯＮしている期間として、ゲート電圧実測値ＯＮＤｕｔｙ＝２０％（７．１μｓ／３５．７μｓ）固定とし、ＴＧ−ＩＮＶがＬｏｗになってからＦＥＴがＯＮするまでの遅延時間はゲート電圧実測値２３．５μｓ固定として示したものである。また、図７は、ＴＧ−ＩＮＶ周期３３９μｓ、第８図はＴＧ−ＩＮＶ周期２２９μｓとして示したものである。
【００１０】
図７に示すように、ＴＧ−ＩＮＶ周期３３９μｓの場合に前記の条件に基づいて１ライン周期に８パルスになる周波数範囲を求めると以下の通りとなる。
＜８パルス／ライン周期＞
※最低周波数：ＴＧ−ＩＮＶ周期３３９μｓでＨｉｇｈ期間３．０μｓと遅延時間２３．５μｓを引いた３１２．５μｓに８個のＯＮ時間がピッタリ合う周波数になる。
１周期を１００％とすると、３１２．５μｓに８２０％の繰り返し周期になる。１００％当りの時間は３８．１μｓとなり、２６．２ｋＨｚとなる。
※最高周波数：３１２．５μｓを９で割った時間が最高周波数となり、３４．７μｓ＝２８．８ｋＨｚとなる。
＜周波数範囲＞２６．２ｋＨｚ〜２８．８ｋＨｚ→２７．５±１．３ｋＨｚ
次に、画像読取装置が異なる２つ以上のライン周期を有する場合に、図８に示すようにライン周期（ＴＧ−ＩＮＶ周期）を２２９μｓとして、前記の条件に基づいて１ライン周期に５パルスになる周波数範囲を求めると以下の通りとなる。
＜５パルス／ライン周期＞
※最低周波数：ＴＧ−ＩＮＶ周期２２９μｓでＨｉｇｈ期間３．０μｓと遅延時間２３．５μｓを引いた２０２．５μｓに５個のＯＮ時間がピッタリ合う周波数になる。
１周期を１００％とすると、２０２．５μｓに５２０％の繰り返し周期になる。１００％当りの時間は３８．９μｓとなり、２５．７ｋＨｚとなる。
※最高周波数：２０２．５μｓを６で割った時間が最高周波数となり、３３．８μｓ＝２９．６ｋＨｚとなる。
＜周波数範囲＞２５．７ｋＨｚ〜２９．６ｋＨｚ→２７．６５±１．９５ｋＨｚ
ここで、異なる２つのライン周期を同時に満足する周波数範囲を求めると以下の通りとなる。
※ライン周期１＝３３９μｓ：２６．２ｋＨｚ〜２８．８ｋＨｚ→２７．５±１．３ｋＨｚ
※ライン周期２＝２２９．０μｓ：２５．７ｋＨｚ〜２９．６ｋＨｚ→２７．６５±１．９５ｋＨｚ
＜周波数範囲＞２６．２ｋＨｚ〜２８．８ｋＨｚ→２７．５±１．３ｋＨｚ
すなわち、異なる２つのライン周期を同時に満足する周波数範囲は、２７．５±１．３ｋＨｚとなるので、そのように設定する。よって、異なる２つ以上の１ライン周期に対する点灯パルス数が一定になるようにインバータの発振周波数が設定されたこととなる。
【００１１】
次に、請求項３に対応する実施形態について説明する。ここで、上述のように算出した発振周波数が使用部品の温度係数により周囲温度２５℃に対して周囲温度が０℃及び６０℃となれば変化してしまうため周囲温度変化も考慮して発振周波数を設定する。
一例として周囲温度２５℃（±０％）に対する各部品の定数変化量の合計を、周囲温度６０℃の時、±３．０％
周囲温度０℃の時、±２．０％
とすると、先ほど計算した周波数範囲に±３．０％の余裕が必要になる。
＜８パルス／ライン周期＞ＴＧ−ＩＮＶ周期＝３３９μｓ
最低周波数：２６．２ｋＨｚ×１０３．０％＝２７．０ｋＨｚ
最高周波数：２８．８ｋＨｚ×９７．０％＝２７．９ｋＨｚ
＜周波数範囲＞２７．０ｋＨｚ〜２７．９ｋＨｚ→２７．４５±０．４５ｋＨｚ
＜５パルス／ライン周期＞ＴＧ−ＩＮＶ周期＝２２９μｓ
最低周波数：２５．７ｋＨｚ×１０３．０％＝２６．５ｋＨｚ
最高周波数：２９．６ｋＨｚ×９７．０％＝２８．７ｋＨｚ
＜周波数範囲＞２６．５ｋＨｚ〜２８．７ｋＨｚ→２７．６±１．１ｋＨｚ
ここで、異なる２つのライン周期を同時に満足する周波数範囲を求めると以下の通りとなる。
※ライン周期１＝３３９μｓ：２７．０ｋＨｚ〜２７．９ｋＨｚ→２７．４５±０．４５ｋＨｚ
※ライン周期２＝２２９．０μｓ：２６．５ｋＨｚ〜２８．７ｋＨｚ→２７．６±１．１ｋＨｚ
＜周波数範囲＞２７．０ｋＨｚ〜２７．９ｋＨｚ→２７．４５±０．４５ｋＨｚ
従って、使用部品の温度係数を考慮した場合に異なる２つのライン周期を同時に満足する周波数範囲は、２７．４５±０．４５ｋＨｚとなるので、そのように設定する。よって、周囲温度変化を織り込んで異なる２つ以上の１ライン周期に対する点灯パルス数が一定になるようにインバータの発振周波数が設定されたこととなる。
【００１２】
次に、図９を参照して請求項４に対応する実施形態について説明する。
前記画像読取装置において、ランプの発光色は白色であるが、これは希ガス放電によってガラス管内に生じた紫外線がガラス内面に塗布された３種類の蛍光体（Ｒ：赤、Ｇ：緑、Ｂ：青）で可視光に変換されて白色になっている。
図９にＲＧＢ各発光色の光波形を示す。ここで、光波形のピークとピークの間隔はインバータ発振周波数が２８ｋＨｚの場合には３５．７μｓである。また、図９の光波形に示すようにＲとＧの蛍光体の残光時間は長く明るさを維持できるため非同期点灯時においても各ライン間の光量差は小さいが、Ｂの蛍光体の残光時間は短く明るさの差が大きいため非同期点灯時においては各ライン間の光量差が大きく色むらが発生しやすい。
そこで、この実施形態では、異なる２つ以上のライン周期を有する場合に、カラーモードや２色モードのようにライン周期が大きい場合（線速が遅い場合）には同期点灯を行い、白黒モードのようにライン周期が小さい場合（線速が早い場合）には非同期点灯を行い、色むらの発生を解決している。すなわち、線速が速い場合にはランプ点灯積算時間が大きくなり発熱の影響による発振周波数変動が大きくなりことによる同期のズレが発生し、また発振周波数変動を低減するためには発振周波数の精度向上が必要になるので、非同期点灯と同期点灯をライン周期に応じて切り替えている。
【００１３】
【発明の効果】
以上の説明から理解されるように、本発明によれば、異なる２つ以上の１ライン周期を有する画像読取装置において各ラインの読取開始タイミングを規定するライン同期信号に同期させてランプを点灯させるインバータの発振回路を制御しているので、１ライン毎の光量変動をなくし、各ライン毎の積算光量に差が発生し読取画像の白横縞となる不具合を解決することができる。
また、異なる２つ以上の１ライン周期を有する画像読取装置において１ライン周期に対する点灯パルス数が一定になるようにインバータの発振周波数を設定しているので１ライン毎の光量変動をなくし各ライン毎の積算光量に差が発生し読取画像の白横縞となる不具合を解決することができる。
また、インバータ各部品の温度係数に影響されず異なる２つ以上の１ライン周期に対する点灯パルス数が一定になるようにインバータの発振周波数を設定しているので、１ライン毎の光量変動をなくし各ライン毎の積算光量に差が発生し読取画像の白横縞となる不具合を解決することができる。
また、読み取り条件（白黒／カラー／単色／２色、連続／間欠等）に応じて同期点灯／非同期点灯を切り替えているので、インバータ各部品の温度係数の影響による発振周波数の変動により１ライン毎の光量変動をなくし各ライン毎の積算光量に差が発生し読取画像の白横縞となる不具合を解決することができる。
【図面の簡単な説明】
【図１】本発明によるカラー画像読取装置の一実施形態の全体構成図である。
【図２】図１に示した画像読取装置の制御ブロック構成図である。
【図３】図１に示した画像読取装置の制御ブロック構成図である。
【図４】図１に示したランプ安定器１１４およびランプ２の構成図である。
【図５】図４に示したインバータ１３１の構成の一例を示す図である。
【図６】ランプＯＮ／ＯＦＦ制御信号（ＣＮＴ）およびライン同期信号（ＴＧ−ＩＮＶ）との関係を示すタイミングチャートである。
【図７】ライン同期信号（ＴＧ−ＩＮＶ）とランプ２の光波形の関係を示すタイミングチャートである。
【図８】ライン同期信号（ＴＧ−ＩＮＶ）とランプ２の光波形の関係を示すタイミングチャートである。
【図９】ＲＧＢ各発光色の光波形を示す図である。
【符号の説明】
１…レンズ、２…ランプ、３…第１ミラー、４…第３ミラー、５…第２ミラー、６…ＤＦ用原稿ガラス、７…ＳＣＵ、８…原稿台ガラス、９…走行体モータ、１０…ＳＢＵ、１１…原稿台、１２…原稿ガイド、１３…セットセンサ、１４…コロ、１５…搬送コロ、１６…給紙ベルト、１７…分離コロ、１８…第１搬送ローラ、１９…レジストセンサー、２０…反射ガイド板、２１…第２搬送ローラ、２３…排紙ローラ、２４…分岐爪、２５…反転ローラ、２６…反転テーブル、２７…原稿後端センサ、２８…幅サイズ検知センサ、２９…第１の原稿長さセンサ、３０…第２の原稿長さセンサ、３１…第１キャリッジ、３２…第２キャリッジ、３３…ＶＩＯＢ、４２…ＡＤＵ、４３…ＳＯＰ、１００…ＣＣＤ、１０１…アナログ処理回路、１０２…コンバータ、１０３…シェーディング部、１０４…ＩＰＵ、１０５…メモリコントローラ、１０６…画像メモリ、１０７…外部Ｉ／Ｆ、１０８…ＣＰＵ、１０９…ＲＯＭ、１１０…ＲＡＭ、１１２…モータコントローラ、１１４…ランプ安定器、１２０…出力装置、１３０…定電圧電源、１３１…インバータ、１３２…昇圧トランス、１３４…発振回路、１３５…点灯制御部
【図１】
2004236022.tif 000003
【図２】
2004236022.tif 000004
【図３】
2004236022.tif 000005
【図４】
2004236022.tif 000006
【図５】
2004236022.tif 000007
【図６】
2004236022.tif 000008
【図７】
2004236022.tif 000009
【図８】
2004236022.tif 000010
【図９】
2004236022.tif 000011